(57)【要約】【課題】バンド状の前甲被を有する履物を吊り下げて陳列するための吊り下げ具として、陳列する履物に合わせて形状やサイズの異なる複数種類のものを簡単にかつ低コストで製造することができ、廃棄やリサイクルが容易であり、履物を安定して陳列しうるものを提供する。【解決手段】履物陳列用吊り下げ具1は、紙または紙を主体とする積層シート片10からなる。積層シート片は、吊り下げ用切欠きフック21を有する吊り下げ基部2と、吊り下げ基部から下方に向かってのびる左右２つの垂下脚部3と、両垂下脚部の下端から左右方向内方に折り返されて上向きにのびる左右２つの上向き折り返し部4とを備えている。両上向き折り返し部間に、履物8の前甲被81を前縁部から挿通させて両垂下脚部間に導入しうる挿通間隙5が設けられている。左右各側の垂下脚部と上向き折り返し部の間に、前甲被の後縁部を差し込んで保持しうる保持スリット6が設けられている。【選択図】図３
0003209627.tif 000002
【実用新案登録請求の範囲】
【請求項１】
爪先側が開口したバンド状の前甲被を備えている１足の履物を吊り下げて陳列するための吊り下げ具であって、
紙または紙を主体とする積層シートを所定形状に裁断した積層シート片からなり、
前記積層シート片には、吊り下げ用切欠きフックまたは吊り下げ用孔を有する吊り下げ基部と、吊り下げ基部から下方に向かってのびる左右２つの垂下脚部と、左右２つの垂下脚部の下端からそれぞれ左右方向内方に折り返されて上向きにのびる左右２つの上向き折り返し部が備えられており、
左右２つの上向き折り返し部どうしの間に、１足の履物の前甲被をこれらの前縁部から同時にまたは片方ずつ挿通させて左右２つの垂下脚部どうしの間に導入しうる挿通間隙が設けられており、
左側の垂下脚部と上向き折り返し部との間に、左足用履物の前甲被の後縁部を差し込んで保持しうる左側保持スリットが設けられ、右側の垂下脚部と上向き折り返し部との間に、右足用履物の前甲被の後縁部を差し込んで保持しうる右側保持スリットが設けられている、履物陳列用吊り下げ具。
【請求項２】
左側保持スリットおよび右側保持スリットは、それぞれ前甲被の後縁部の厚みの１．１〜１．７倍程度の幅を有しているとともに、３０〜４０ｍｍ程度の深さを有している、請求項１記載の履物陳列用吊り下げ具。
【請求項３】
左右２つの垂下脚部それぞれの内側縁における保持スリットのやや上方部分に、前甲被の裏面に当たるように内方に突出した押さえ凸部が形成されている、請求項１または２記載の履物陳列用吊り下げ具。
【請求項４】
積層シート片の表面および裏面のうち少なくとも表面に、履物に関する情報を表示した表示部が設けられている、請求項１〜３のいずれか１つに記載の履物陳列用吊り下げ具。
【考案の詳細な説明】
【技術分野】
【０００１】
この考案は、バンド状の前甲被を備えたサンダル、スリッパ等の履物を吊り下げて陳列するために用いられる吊り下げ具に関する。
【背景技術】
【０００２】
従来、スーパーマーケット、デパート、コンビニエンスストア、専門店等において、設置スペースの有効利用や商品の見易さ等を考慮して、各種の商品を吊り下げて陳列することが行われている。
サンダルやスリッパ等の履物についても、これらを１足ずつ吊り下げて陳列することが行われており、そのための吊り下げ具も提案されている。
例えば、下記の特許文献１には、１足の履物の前甲被の後縁部を挟む開口上向き略Ｃ形の挟持部と、挟持部の谷底部分から上方にのびる支持棒と、支持棒の上端部に連なって設けられかつ商品に関する情報が表示されている表示板と、表示板の上部に設けられた吊り下げ用フックとを備えた履物陳列用吊り下げ具が開示されている。この吊り下げ具の各部品は、合成樹脂や金属から形成されている。
【先行技術文献】
【特許文献】
【０００３】
【特許文献１】実公昭５７−９８０９号公報
【考案の概要】
【考案が解決しようとする課題】
【０００４】
しかしながら、上記特許文献１記載の履物陳列用吊り下げ具は、部品点数が多く、製造コストが嵩むので、陳列する商品に合わせて形状やサイズの異なるものを製造するのが大変であった。また、上記吊り下げ具の場合、廃棄やリサイクルが困難であった。さらに、上記吊り下げ具の場合、１足の履物の前甲被の後縁部のみが挟持部によって支持されているため、吊り下げられて陳列されている履物が外側に広がりやすく、ブラブラと揺れることもあった。しかも、上記吊り下げ具にあっては、表示板のサイズを大きくすることが難しく、広告ＰＯＰとしての機能面では必ずしも十分とは言えなかった。
【０００５】
この考案の目的は、上記問題を解決し、陳列する履物に合わせて形状やサイズの異なる複数種類のものを簡単にかつ低コストで製造することができ、廃棄やリサイクルが容易であり、履物を安定した状態で吊り下げて陳列することができる履物陳列用吊り下げ具を提供することにある。また、この考案の他の目的は、広告ＰＯＰとしての機能を十分に果たしうる履物陳列用吊り下げ具を提供することにある。
【課題を解決するための手段】
【０００６】
この考案は、上記の目的を達成するために、以下の態様からなる。
【０００７】
１）爪先側が開口したバンド状の前甲被を備えている１足の履物を吊り下げて陳列するための吊り下げ具であって、
紙または紙を主体とする積層シートを所定形状に裁断した積層シート片からなり、
前記積層シート片には、吊り下げ用切欠きフックまたは吊り下げ用孔を有する吊り下げ基部と、吊り下げ基部から下方に向かってのびる左右２つの垂下脚部と、左右２つの垂下脚部の下端からそれぞれ左右方向内方に折り返されて上向きにのびる左右２つの上向き折り返し部が備えられており、
左右２つの上向き折り返し部どうしの間に、１足の履物の前甲被をこれらの前縁部から同時にまたは片方ずつ挿通させて左右２つの垂下脚部どうしの間に導入しうる挿通間隙が設けられており、
左側の垂下脚部と上向き折り返し部との間に、左足用履物の前甲被の後縁部を差し込んで保持しうる左側保持スリットが設けられ、右側の垂下脚部と上向き折り返し部との間に、右足用履物の前甲被の後縁部を差し込んで保持しうる右側保持スリットが設けられている、履物陳列用吊り下げ具。
【０００８】
２）左側保持スリットおよび右側保持スリットは、それぞれ前甲被の後縁部の厚みの１．１〜１．７倍程度の幅を有しているとともに、３０〜４０ｍｍ程度の深さを有している、上記１）の履物陳列用吊り下げ具。
【０００９】
３）左右２つの垂下脚部それぞれの内側縁における保持スリットのやや上方部分に、前甲被の裏面に当たるように内方に突出した押さえ凸部が形成されている、上記１）または２）の履物陳列用吊り下げ具。
【００１０】
４）積層シート片の表面および裏面のうち少なくとも表面に、履物に関する情報を表示した表示部が設けられている、上記１）〜３）のいずれか１つの履物陳列用吊り下げ具。
【考案の効果】
【００１１】
上記１）の履物陳列用吊り下げ具によれば、紙または紙を主体とする積層シート片よりなるので、陳列する商品に合わせて形状やサイズの異なる複数種類のものを簡単にかつ低コストで製造することができ、また、処分時の廃棄やリサイクルも容易に行いうる。
さらに、上記１）の履物陳列用吊り下げ具によれば、１足の履物をこれらの前甲被の後縁部が左右両側保持スリットに差し込まれて保持された状態で吊り下げるものであるので、前甲被の前縁部が左右の垂下脚部の内側縁に当たることにより外方に広がるのが阻止され、安定した状態で陳列することができる。
【００１２】
上記２）の履物陳列用吊り下げ具によれば、陳列する１足の履物が比較的柔軟な素材の前甲被を備えている場合でも、同履物を吊り下げて陳列した際に、履物の自重により前甲被が弾性変形して形が崩れたり、前甲被が保持スリットから外れて履物が落下したりするのを阻止することができる。
【００１３】
上記３）の履物陳列用吊り下げ具によれば、押さえ凸部の存在により、比較的柔軟な素材の前甲被を備えている１足の履物を吊り下げて陳列した場合でも、履物の自重により前甲被が弾性変形して形が崩れたり、前甲被が保持スリットから外れて履物が落下したりするのを阻止することができる。
【００１４】
上記４）の履物陳列用吊り下げ具によれば、表示部の面積を大きくとることができるので、より多くの商品情報を所望の箇所に表示することが可能であり、広告ＰＯＰとしての機能を十分に果たすことができる。
また、上記４）の履物陳列用吊り下げ具によれば、例えば、積層シート片の表面または両面に所要の印刷を施したり或いはラベルやシールを貼り付けたりして、表示部を簡単に形成することができる。
【図面の簡単な説明】
【００１５】
【図１】この考案の実施形態に係る履物陳列用吊り下げ具の斜視図である。
【図２】同吊り下げ具の正面図である。
【図３】同吊り下げ具を用いて履物を吊り下げた状態を示す正面図である。
【考案を実施するための形態】
【００１６】
この考案の実施形態を、図１〜図３を参照して、以下に説明する。
この実施形態の履物陳列用吊り下げ具(1)は、爪先側が開口したバンド状の前甲被(81)を備えたサンダル、スリッパ等の履物(8)を吊り下げて陳列するためのものであって（図３参照）、紙または紙を主体とする積層シートを所定形状に裁断した積層シート片(10)からなる。
吊り下げ具(1)の材料として使用する積層シートは、紙または紙を主体とするものであって、所要の強度や形態保持性が得られるものであれば特に限定されないが、コスト、リサイクル性などの面からみて、段ボールが好適に用いられる。なお、段ボールを使用する場合、吊り下げ具(1)がその長さ中間で横方向に折れ易くなるのを回避するために、中芯の波形（フルート）と平行な方向が吊り下げ具(1)の上下方向となるように裁断するのが好ましい。
【００１７】
吊り下げ具(1)を構成する積層シート片(10)は、全体として縦長のものであって、吊り下げ用切欠きフック(21)を有する吊り下げ基部(2)と、吊り下げ基部(2)から下方に向かってのびる左右２つの垂下脚部(3)と、左右２つの垂下脚部(3)の下端からそれぞれ左右方向内方に折り返されて上向きにのびる左右２つの上向き折り返し部(4)とを備えている。
図示の吊り下げ基部(2)は、積層シート片の上下長さの約３分の１程度の上下長さを有するものであって、その左上部分が略Ｊ形に切り欠かれることにより、吊り下げ用切欠きフック(21)が形成されている。なお、吊り下げ用切欠きフック(21)に代えて、吊り下げ基部(2)の上部に吊り下げ用孔を形成し、同孔の縁を陳列用バー等に掛けるようにしてもかまわない。
左右２つの垂下脚部(3)は、吊り下げ基部(2)の左下部分および右下部分から下方に向かって平行に伸びた略帯板状のものである。
左右２つの上向き折り返し部(4)どうしの間に、１足の履物(8)の前甲被(81)をこれらの前縁部から同時にまたは片方ずつ挿通させて左右２つの垂下脚部(3)どうしの間に導入しうる挿通間隙(5)が設けられている。挿通間隙(5)の幅(S1)は、通常、履物(8)の前甲被(81)の厚みの１．３〜１．９倍程度となされ、具体的には例えば約５〜７ｍｍである。
左側の垂下脚部(3)と上向き折り返し部(4)との間に、左足用履物(8)の前甲被(81)の後縁部を差し込んで保持しうる左側保持スリット(6)が設けられている。また、右側の垂下脚部(3)と上向き折り返し部(4)との間に、右足用履物(8)の前甲被(81)の後縁部を差し込んで保持しうる右側保持スリット(6)が設けられている。左側保持スリット(6)および右側保持スリット(6)は、それぞれ前甲被(8)の後縁部の厚みの１．１〜１．７倍程度の幅(S2)（例えば４〜６ｍｍ程度）を有しているとともに、３０〜４０ｍｍ程度の深さ(D1)を有している。
左右２つの垂下脚部(3)それぞれの内側縁における保持スリット(6)のやや上方部分に、前甲被(81)の裏面に当たるように内方に突出した押さえ凸部(31)が形成されている。この押さえ凸部(31)は、垂下脚部(3)の内側縁における保持スリット(6)のやや上方部分が下方に向かって左右方向外方に傾斜させられることにより形成された鈍角の山形のものである。したがって、垂下脚部(3)のうち押さえ凸部(31)よりも下方部分は、押さえ凸部(31)よりも上方部分と比べてやや幅狭となされている。
上向き折り返し部(4)の上端から吊り下げ基部(2)の下縁までの垂直距離(D2)は、履物(8)の前甲被(81)を左右２つの垂下脚部(3)どうしの間に挿通間隙(5)を通じて導入しうるとともに、導入された前甲被(81)の後縁部を保持スリット(6)に差し込みうるように設定されている。通常、バンド状の前甲被(81)は、その左右両端部の前後幅が最も大きく、その長さ中央部の前後幅が最も小さくなっている。したがって、上記垂直距離(D2)は、前甲被(81)の左右両端部の前後幅と同程度かこれよりもやや小さいものとすればよい。
積層シート片(10)の表面、より具体的には、吊り下げ基部(2)の表面に、履物(8)に関する情報（用途、サイズ、商品名等）を表示した表示部(7)が設けられている。表示部(7)は、積層シート片(10)の表面の所要箇所に予め印刷を施すことにより形成されている。表示部(7)を設ける箇所は、吊り下げ基部(2)の表面に限らず、垂下脚部(3)や上向き折り返し部(4)の表面、さらには積層シート片(10)の裏面の任意の箇所に設けてもよい。また、図示は省略したが、積層シート片(10)の表面の所要箇所に、所要事項が表示されたラベルやシールを貼り付けて、表示部を形成することもできる。
【００１８】
上記の吊り下げ具(1)を用いて１足の履物(8)を吊り下げて陳列する場合、まず、左右２つの上向き折り返し部(4)どうしの間の挿通間隙(5)に、１足の履物(8)の前甲被(81)を、これらの前縁部から同時にまたは片方ずつ挿通させて左右２つの垂下脚部(3)どうしの間に導入した後、左側の垂下脚部(3)と上向き折り返し部(4)との間の左側保持スリット(6)に、左足用履物(8)の前甲被(81)の後縁部を差し込んで保持し、右側の垂下脚部(3)と上向き折り返し部(4)との間の右側保持スリット(6)に、右足用履物(8)の前甲被(81)の後縁部を差し込んで保持する。そして、この状態で、吊り下げ基部(2)の吊り下げ用切欠きフック(21)を所定の吊り下げ箇所に掛け止めることにより、１足の履物(8)を吊り下げ状態で陳列することができる。
前甲被(81)が柔軟な素材（例えば合成皮革またはビニールシートよりなる表地の裏面にニットよりなる裏地を貼り合わせたもの）よりなる履物(8)を、上記の吊り下げ具(1)を用いて所定箇所に吊り下げ、この状態で６カ月程度放置した後、履物(8)の様子を観察したところ、履物(8)の自重により前甲被(81)が弾性変形して形が崩れたりすることがなく、また、前甲被(81)が保持スリット(6)から外れて履物(8)が落下することもなかった。
【産業上の利用可能性】
【００１９】
この考案は、バンド状の前甲被を備えたサンダル、スリッパ等の履物を吊り下げて陳列するための吊り下げ具として、好適に使用することができる。
【符号の説明】
【００２０】
(1)：履物陳列用吊り下げ具
(10)：積層シート片
(2)：吊り下げ基部
(21)：吊り下げ用切欠きフック
(3)：垂下脚部
(31)：押さえ凸部
(4)：上向き折り返し部
(5)：挿通間隙
(6)：左側保持スリット、右側保持スリット
(7)：表示部
(S1)：挿通間隙の幅
(S2)：保持スリットの幅
(D1)：保持スリットの深さ
(D2)：上向き折り返し部の上端から吊り下げ基部の下縁までの垂直距離
(8)：履物
(81)：前甲被
【図１】
0003209627.tif 000003
【図２】
0003209627.tif 000004
【図３】
0003209627.tif 000005